(57)【要約】【課題】車両が走行している間にＴＶ放送の受信状態が悪化した場合であっても当該ＴＶ放送を搭乗者に楽しませることが可能なＴＶ放送受信機を提供する。【解決手段】ＴＶ放送の受信状態を判定する受信状態判定手段を具備し、該車両走行中、該受信状態が良好と判定されるときには所定のメモリにおけるキャプチャ画像を定期的に更新して該再生機器に出力し、該受信状態が悪いと判定されるときにはキャプチャ画像の更新処理を中断して最後にキャプチャされた画像を該再生機器に出力するよう動作するＴＶ放送受信機を提供する。【選択図】図２
2008042443.tif 000002
【特許請求の範囲】
【請求項１】
車両に搭載され、テレビジョン放送を受信・復調してその復調信号を再生機器に出力可能なテレビジョン放送受信機であって、該車両走行中、復調された画像信号を所定のメモリにキャプチャして静止画像として出力するテレビジョン放送受信機において、
テレビジョン放送の受信状態を判定する受信状態判定手段を具備し、
該車両走行中、該受信状態が良好と判定されるときには前記所定のメモリにおけるキャプチャ画像を定期的に更新して該再生機器に出力し、該受信状態が悪いと判定されるときにはキャプチャ画像の更新処理を中断して最後にキャプチャされた画像を該再生機器に出力すること、を特徴とするテレビジョン放送受信機。
【請求項２】
該車両の走行速度を検出する走行速度検出手段を更に具備し、
該検出された走行速度に応じてキャプチャ画像の更新頻度を設定すること、を特徴とする請求項１に記載のテレビジョン放送受信機。
【請求項３】
テレビジョン放送が地上波デジタルテレビジョン放送であるとき、前記受信状態判定手段は、複数のＯＦＤＭ（Orthogonal Frequency Division Multiplexing）セグメントを利用した第一の放送と一つのＯＦＤＭセグメントを利用した第二の放送の両方の受信状態が所定の基準を下回っているときに限り、当該テレビジョン放送の受信状態が悪いと判定すること、を特徴とする請求項１又は請求項２の何れかに記載のテレビジョン放送受信機。
【請求項４】
前記受信状態判定手段は該第一の放送の受信状態を優先的に判定し、当該第一の放送の受信状態が悪いと判定したときに限り、該第二の放送の受信状態を判定すること、を特徴とする請求項３に記載のテレビジョン放送受信機。
【請求項５】
前記テレビジョン放送受信機がサイマル方式のデジタルテレビジョン放送とアナログテレビジョン放送を受信・復調可能であるとき、前記受信状態判定手段は、両形式のテレビジョン放送の受信状態が所定の基準を下回っているときに限り、当該受信状態が悪いと判定すること、を特徴とする請求項１又は請求項２の何れかに記載のテレビジョン放送受信機。
【請求項６】
前記受信状態判定手段は該デジタルテレビジョン放送の受信状態を優先的に判定し、当該デジタルテレビジョン放送の受信状態が悪いと判定したときに限り、該アナログテレビジョン放送の受信状態を判定すること、を特徴とする請求項５に記載のテレビジョン放送受信機。
【請求項７】
車両に搭載されたテレビジョン放送受信機でテレビジョン放送を受信・復調してその復調信号を再生機器に出力するためのテレビジョン放送処理方法において、
テレビジョン放送の受信状態を判定する受信状態判定ステップと、
車両が走行しているか否かを判定する走行状態判定ステップと、
該車両が走行していると判定されるとき、復調された画像信号を所定のメモリにキャプチャして静止画像として該再生機器に出力する静止画像出力ステップと、を含み、
前記静止画像出力ステップにおいて、前記受信状態判定ステップの判定結果が良好であるときには前記所定のメモリにおけるキャプチャ画像を定期的に更新して該再生機器に出力し、前記受信状態判定ステップの判定結果が悪いとされるときにはキャプチャ画像の更新処理を中断して最後にキャプチャされた画像を該再生機器に出力すること、を特徴とするテレビジョン放送処理方法。
【請求項８】
該車両の走行速度を検出する走行速度検出ステップを更に含み、
該検出された走行速度に応じてキャプチャ画像の更新頻度を設定すること、を特徴とする請求項７に記載のテレビジョン放送処理方法。
【発明の詳細な説明】
【技術分野】
【０００１】
この発明は、テレビジョン（以下、「テレビジョン」を「ＴＶ」と記す）放送を受信・復調してその復調信号を再生機器に出力可能なＴＶ放送受信機であり、特に、車両に搭載されたＴＶ放送受信機に関する。また、車両に搭載されたＴＶ放送受信機でＴＶ放送を受信・復調してその復調信号を再生機器に出力するＴＶ放送処理方法に関する。
【背景技術】
【０００２】
近年、記録媒体や機器等において音声や映像をデジタル形式で処理／管理することが一般化している。このような記録媒体や機器等における音声や映像のデジタル符号化の趨勢は放送関連業界にも波及している。放送関連業界では、現在、地上波アナログＴＶ放送から地上波デジタルＴＶ放送への移行が進められている。
【０００３】
上述の地上波デジタルＴＶ放送を視聴するためにはそれに対応した機器が必要である。例えば下記特許文献１には、地上波デジタルＴＶ放送を受信して再生する機能を具備したＴＶ放送受信機が開示されている。下記特許文献１に記載のＴＶ放送受信機は車両に搭載されたものである。このＴＶ放送受信機は、車両が停止しているときには地上波デジタルＴＶ放送の動的な画像を出力して再生するよう動作する。また、車両が走行しているときには当該ＴＶ放送の静止画像を出力して再生するよう動作する。下記特許文献１の目的は、車両が走行している間も地上波デジタルＴＶ放送を搭乗者に楽しませることにある。
【特許文献１】特許第２６３２５６３号公報
【発明の開示】
【発明が解決しようとする課題】
【０００４】
ここで、地上波デジタルＴＶ放送は普及段階であり、全国的には地上波デジタルＴＶ放送を視聴可／不可な地域が散在するといった状況にある。従って、車載されたＴＶ放送受信機による地上波デジタルＴＶ放送の受信状態は車両の移動に伴って逐次変化する。このため、このようなＴＶ放送受信機による地上波デジタルＴＶ放送の受信状態は、車両が走行（又は位置）するエリアによっては悪化してしまう。ここでいう受信状態の悪化とは、例えば地上波デジタルＴＶ放送の受信信号のＢＥＲ（Bit Error Rate）が低く映像・音声を正常に出力できない状態、若しくは地上波デジタルＴＶ放送自体を全く受信できない状態を意味する。
【０００５】
上記特許文献１に記載のＴＶ放送受信機では、例えば車両が走行している間に受信状態が悪化した場合（上記特許文献１においては画像信号の入力がない状態に相当）、地上波デジタルＴＶ放送の再生処理が終了してしまい静止画像が消えると考えられる。これは、上記特許文献１の上述した目的に反するものであり好ましくない。
【０００６】
そこで、本発明は上記の事情に鑑みて、車両が走行している間にＴＶ放送の受信状態が悪化した場合であっても当該ＴＶ放送を搭乗者に楽しませることが可能なＴＶ放送受信機及びＴＶ放送処理方法を提供することを課題としている。
【課題を解決するための手段】
【０００７】
上記の課題を解決する本発明の一態様に係るＴＶ放送受信機は、車両に搭載され、ＴＶ放送を受信・復調してその復調信号を再生機器に出力可能なものである。このＴＶ放送受信機は、該車両走行中、復調された画像信号を所定のメモリにキャプチャして静止画像として出力する。またＴＶ放送の受信状態を判定する受信状態判定手段を具備する。そして該車両走行中、該受信状態が良好と判定されるときには所定のメモリにおけるキャプチャ画像を定期的に更新して該再生機器に出力し、該受信状態が悪いと判定されるときにはキャプチャ画像の更新処理を中断して最後にキャプチャされた画像を該再生機器に出力することを特徴としている。
【０００８】
このように構成されたＴＶ放送受信機によれば、車両走行中にＴＶ放送の受信状態が悪化しても当該ＴＶ放送の静止画像が継続して再生機器に出力される。このため搭乗者は当該ＴＶ放送を継続して楽しむことができる。
【０００９】
なお上記ＴＶ放送受信機は、例えば該車両の走行速度を検出する走行速度検出手段を更に具備したものであっても良い。この場合、上記ＴＶ放送受信機は、該検出された走行速度に応じてキャプチャ画像の更新頻度を設定することができる。
【００１０】
ここで、ＴＶ放送が地上波デジタルＴＶ放送であるとき、上記受信状態判定手段は、複数のＯＦＤＭ（Orthogonal Frequency Division Multiplexing）セグメントを利用した第一の放送と一つのＯＦＤＭセグメントを利用した第二の放送の両方の受信状態が所定の基準を下回っているときに限り、当該ＴＶ放送の受信状態が悪いと判定するよう動作するものであっても良い。
【００１１】
この場合、上記受信状態判定手段は、例えば該第一の放送の受信状態を優先的に判定し、当該第一の放送の受信状態が悪いと判定したときに限り、該第二の放送の受信状態を判定し得る。
【００１２】
また、ＴＶ放送受信機がサイマル方式のデジタルＴＶ放送とアナログＴＶ放送を受信・復調可能であるとき、上記受信状態判定手段は、両形式のＴＶ放送の受信状態が所定の基準を下回っているときに限り、当該受信状態が悪いと判定するよう動作するものであっても良い。
【００１３】
この場合、上記受信状態判定手段は、例えば該デジタルＴＶ放送の受信状態を優先的に判定し、当該デジタルＴＶ放送の受信状態が悪いと判定したときに限り、該アナログＴＶ放送の受信状態を判定し得る。
【００１４】
また上記の課題を解決する本発明の一態様に係るＴＶ放送処理方法は、車両に搭載されたＴＶ放送受信機でＴＶ放送を受信・復調してその復調信号を再生機器に出力するための方法である。このＴＶ放送処理方法は、ＴＶ放送の受信状態を判定する受信状態判定ステップと、車両が走行しているか否かを判定する走行状態判定ステップと、該車両が走行していると判定されるとき、復調された画像を所定のメモリにキャプチャして静止画像として該再生機器に出力する静止画像出力ステップとを含む。そして静止画像出力ステップにおいて、受信状態判定ステップの判定結果が良好であるときには所定のメモリにおけるキャプチャ画像を定期的に更新して該再生機器に出力し、受信状態判定ステップの判定結果が悪いとされるときにはキャプチャ画像の更新処理を中断して最後にキャプチャされた画像を該再生機器に出力することを特徴とした方法である。
【００１５】
なお上記ＴＶ放送処理方法は、例えば該車両の走行速度を検出する走行速度検出ステップを更に含んだものであっても良い。この場合、該検出された走行速度に応じてキャプチャ画像の更新頻度が設定される。
【発明の効果】
【００１６】
本発明に係るＴＶ放送受信機及びＴＶ放送処理方法によれば、車両が走行している間にＴＶ放送の受信状態が悪化した場合であっても当該ＴＶ放送を搭乗者に楽しませることが可能となる。
【発明を実施するための最良の形態】
【００１７】
以下、図面を参照して、本発明の実施の形態のＴＶ放送受信機の構成及び作用について説明する。
【００１８】
図１は、本発明の実施の形態のＴＶ放送受信機を具備した映像音声出力装置１００の構成を示したブロック図である。映像音声出力装置１００は例えば移動体である車両に搭載されている。映像音声出力装置１００は地上波デジタルＴＶ放送と地上波アナログＴＶ放送とのサイマル放送（すなわちデジタル及びアナログの両形式で同一時間に同一内容の番組を放送する方式）に対応したものであり、地上波デジタルＴＶ放送及び地上波アナログＴＶ放送の両方を受信して処理できるよう設計されている。
【００１９】
映像音声出力装置１００は、制御部１０、デジタルＴＶ用アンテナ１１、デジタルＴＶ用チューナ１２、ＯＦＤＭ（Orthogonal Frequency Division Multiplexing：直交周波数分割多重）復調部１３、ＭＰＥＧ（Moving Picture Experts Group）デコーダ１４、映像切替スイッチ１５、音声Ｄ／Ａコンバータ２１、音声切替スイッチ２３、オーディオアンプ２４、アナログＴＶ用アンテナ３１、アナログＴＶ用チューナ３２、アナログ受信信号復調部３３、受信強度検出部３４、デジタルビデオフォーマット変換部３５、メモリ４０、ディスプレイ５０、スピーカ６０Ｒ、６０Ｌ、及び、受光部７０を具備する。
【００２０】
リモート・コントローラ（以下、「リモコン」と記す）８０には映像音声出力装置１００を操作するための操作キーが設けられている。ユーザがリモコン８０を操作すると、その操作に応じた制御パルスがリモコン８０から出力される。この制御パルスは例えばＩｒＤＡ規格に準拠した信号である。受光部７０はこの制御パルスを受信すると、それを制御部１０に渡す。なおリモコン８０が操作されているときには、例えばディスプレイ５０の表示が操作画面に切り替わるようにしても良く、或いは、操作に関する文字情報がディスプレイ５０に表示中の画像に重畳表示されるようにしても良い。
【００２１】
制御部１０は映像音声出力装置１００全体の統括的な制御を司る。制御部１０は、例えば自己に実装された各種プログラム及び受光部７０からの制御パルスに基づいて各構成要素を制御するよう動作する。
【００２２】
ここで、映像音声出力装置１００における一連の信号処理について説明する。
【００２３】
先ず、地上波デジタルＴＶ放送の受信信号（以下、「デジタル受信信号」と記す）の信号処理について説明する。デジタルＴＶ用アンテナ１１は、地上波デジタルＴＶ放送の各チャンネルのＲＦ（Radio Frequency）信号を受信する機能を有する。デジタルＴＶ用アンテナ１１で受信された各ＲＦ信号は、デジタルＴＶ用チューナ１２に入力する。
【００２４】
デジタルＴＶ用チューナ１２は、入力された各ＲＦ信号の中から制御部１０により指定されたチャンネル（以下、「指定チャンネル」と記す）のＲＦ信号を選択して周波数変換を行う。具体的には、安定動作や選択特性が改善される中間周波数すなわちＩＦ（Intermediate Frequency）信号に変換する。周波数変換後のＩＦ信号は、図示しないＢＰＦ（Band Pass Filter）により不要な周波数成分が除去された後、ＯＦＤＭ復調部１３に入力する。
【００２５】
デジタルＴＶ用チューナ１２で選択されるチャンネルは、ユーザ・オペレーションによる選局に従って決定される。具体的には、ユーザがリモコン８０を操作して選局を行うと、その操作に応じた制御パルスがリモコン８０から出力される。受光部７０がこの制御パルスを受信して制御部１０に渡すと、制御部１０は、指定チャンネルのＲＦ信号を選択するようデジタルＴＶ用チューナ１２に命令を出す。デジタルＴＶ用チューナ１２はこの命令に従ってチューニング処理を実行する。
【００２６】
なお制御部１０は、デジタルＴＶ用チューナ１２に命令を出すと共に指定チャンネルの情報をメモリ４０に書き込む。従ってメモリ４０には、常に、ユーザが最後に選択したチャンネルの情報（以下、「ラストチャンネル」と記す）を保持されることになる。ユーザによる選局操作が行われていない場合（例えば電源投入直後等）、制御部１０はメモリ４０を参照して、ラストチャンネルに対応するＲＦ信号を選択するようデジタルＴＶ用チューナ１２に命令を出す。
【００２７】
ＯＦＤＭ復調部１３は、入力されたＩＦ信号をＡ／Ｄ変換してデジタル信号に変換する。次いで、変換されたデジタル信号を例えば数千のキャリアに分割し、各キャリア毎に位相を合わせて合成（例えば周知の最大比合成）処理を行った上で復調する。これにより、ＭＰＥＧ−２トランスポートストリーム信号（以下、「ＴＳ信号」と記す）が得られる。このＴＳ信号はＭＰＥＧデコーダ１４に出力される。またＯＦＤＭ復調部１３は、デジタル受信信号の品質を表すＢＥＲを制御部１０に渡す。
【００２８】
ＭＰＥＧデコーダ１４は、入力されたＴＳ信号をデコードする。これによりＴＳ信号が、デジタルＴＶ放送の映像信号（例えばフレーム画像を成す信号）及びデジタルフォーマットの音声信号にデコードされる。デコードされた映像信号は映像切替スイッチ１５に出力される。また音声信号は音声Ｄ／Ａコンバータ２１に出力される。
【００２９】
映像切替スイッチ１５は、制御部１０の命令に従ってスイッチング動作して、ＭＰＥＧデコーダ１４又はアナログ受信信号復調部３３の何れか一方からの入力信号をディスプレイ５０に出力する。ここでは映像切替スイッチ１５は、ＭＰＥＧデコーダ１４からの入力信号を出力するようスイッチング制御されているものとする。映像切替スイッチ１５から出力された映像信号がディスプレイ５０に入力することで、地上波デジタルＴＶ放送の番組がディスプレイ５０の画面に表示される。
【００３０】
音声Ｄ／Ａコンバータ２１は、ＭＰＥＧデコーダ１４からの音声信号をＤ／Ａ変換して音声切替スイッチ２３に出力する。
【００３１】
音声切替スイッチ２３は、制御部１０の命令に従ってスイッチング動作して、音声Ｄ／Ａコンバータ２１又はアナログ受信信号復調部３３の何れか一方からの入力信号をオーディオアンプ２４に出力する。ここでは音声切替スイッチ２３は、音声Ｄ／Ａコンバータ２１とオーディオアンプ２４を接続するようスイッチング制御されているものとする。
【００３２】
オーディオアンプ２４は音声切替スイッチ２３からの音声信号を増幅してスピーカ６０Ｒ及び６０Ｌに出力する。これにより、地上波デジタルＴＶ放送の番組の音声がスピーカ６０Ｒ及び６０Ｌで再生される。
【００３３】
次に、地上波アナログＴＶ放送の受信信号（以下、「アナログ受信信号」と記す）の信号処理について説明する。アナログＴＶ用アンテナ３１は、地上波アナログＴＶ放送の各チャンネルのＲＦ信号を受信する機能を有する。アナログＴＶ用アンテナ３１で受信された各ＲＦ信号は、アナログＴＶ用チューナ３２に入力する。
【００３４】
ここで、メモリ４０にはチャンネルマップが格納されている。このチャンネルマップはサイマル放送に対応した周波数マップであり、地上波デジタルＴＶ放送のチャンネルと、そのチャンネルと同一時間に同一番組を放送している地上波アナログＴＶ放送のチャンネルとの対応関係を表したデータである。
【００３５】
制御部１０は、指定チャンネル又はラストチャンネルを選択するようデジタルＴＶ用チューナ１２に命令を出したとき、アナログＴＶ用チューナ３２にも同様の命令を出す。より詳細には、制御部１０はメモリ４０のチャンネルマップを読み込んで、指定チャンネル又はラストチャンネルに対応した地上波アナログＴＶ放送のチャンネル情報を取得する。そして取得された地上波アナログＴＶ放送のチャンネルを選択するようアナログＴＶ用チューナ３２に命令を出す。
【００３６】
アナログＴＶ用チューナ３２は、入力された各ＲＦ信号の中から制御部１０により指定されたチャンネルのＲＦ信号を選択してＩＦ信号に変換する。次いで、変換されたＩＦ信号をアナログ受信信号復調部３３に出力する。
【００３７】
アナログ受信信号復調部３３は、入力されたＩＦ信号を映像信号及び音声信号に分離する。次いで、分離された映像信号をコンポジット映像信号に復調する。復調されたコンポジット映像信号は、制御部１０による制御に応じて映像切替スイッチ１５又はデジタルビデオフォーマット変換部３５の何れか一方に出力する。ここでは映像切替スイッチ１５に出力されるものとする。またアナログ受信信号復調部３３は、分離された音声信号を復調して音声切替スイッチ２３に出力する。
【００３８】
映像切替スイッチ１５がアナログ受信信号復調部３３からの入力信号を受け取って出力するようスイッチング制御されている場合、上記コンポジット映像信号はディスプレイ５０に入力する。これにより、地上波アナログＴＶ放送の番組がディスプレイ５０の画面に表示される。
【００３９】
また音声切替スイッチ２３がアナログ受信信号復調部３３とオーディオアンプ２４を接続するようスイッチング制御されている場合、上記復調された音声信号はオーディオアンプ２４に入力する。この音声信号がオーディオアンプ２４により増幅されてスピーカ６０Ｒ及び６０Ｌに出力されると、地上波アナログＴＶ放送の番組の音声がスピーカ６０Ｒ及び６０Ｌで再生される。
【００４０】
次に、本実施形態の映像音声出力装置１００におけるＴＶ放送番組再生処理について説明する。図２に、映像音声出力装置１００におけるＴＶ放送番組再生処理のフローチャートを示す。
【００４１】
図２のフローチャートの処理は、例えば映像音声出力装置１００の電源（不図示）がオンされた時点で開始され、当該電源がオフされた時点で終了する。また映像音声出力装置１００が複数のモードを有している場合、図２のフローチャートの処理は電源がオンされ且つ例えばユーザ・オペレーションによりＴＶを表示させるモードに設定された時点で開始される。また上記モードが解除された時点、或いは電源がオフされた時点で終了する。
【００４２】
図２のフローチャートの処理が開始されると、制御部１０は例えばメモリ４０に格納されたラストチャンネル及びチャンネルマップに基づいて、デジタルＴＶ用チューナ１２及びアナログＴＶ用チューナ３２を制御する。次いで、ＯＦＤＭ復調部１３がデジタルＴＶ用チューナ１２からのＩＦ信号を処理して所定のタイミングで制御部１０にそのＢＥＲを渡す。
【００４３】
制御部１０は、ＯＦＤＭ復調部１３から渡されたＢＥＲが第一の閾値より高いか否かを判定する（ステップ１、以下、明細書及び図面においてステップを「Ｓ」と略記）。ここでいう第一の閾値とは、例えば受信限界（地上波デジタルＴＶ放送の受信強度が低下して当該放送の音声・映像を正常に出力できない状態）におけるＢＥＲに相当するものである。
【００４４】
なお本明細書における地上波デジタルＴＶ放送のサービスには、１３のＯＦＤＭセグメントのうちの１２セグメントを用いたサービスであって、固定用受信機の受信を想定した高品質のサービス（以下、便宜上、「フルセグ」と記す）、及び１セグメントだけを用いた移動体に搭載された受信機向けのサービス（以下、便宜上、「ワンセグ」と記す）がある。映像音声出力装置１００はフルセグ（すなわち高画質・高音質のサービス）を優先的に再生処理するよう動作する。このため、Ｓ１の処理においてはフルセグのＢＥＲについて判定処理が実行される。
【００４５】
Ｓ１の処理においてＢＥＲが第一の閾値以下と判定されるとき（Ｓ１：ＮＯ）、制御部１０は、フルセグの受信状態が良好であると判断してＳ２の処理に進む。なおＯＦＤＭ復調部１３が制御部１０にＢＥＲを渡すタイミングは定期的であっても良く、或いは、Ｓ１の処理が実行される時であっても良い。
【００４６】
ここで、制御部１０は、図１に示されるように、車両に搭載された走行検出センサ２００と接続されている。走行検出センサ２００は車両が走行しているか停止しているかを検出するためのセンサである。走行検出センサ２００の一例として、車両のパーキングブレーキ（不図示）が掛かっているか否かを検出するものが挙げられる。走行検出センサ２００は、パーキングブレーキが掛かっているときにはオン信号を制御部１０に出力する。またパーキングブレーキが掛かっていないときにはオフ信号を制御部１０に出力する。
【００４７】
また制御部１０は、車両に搭載された車速センサ３００とも接続されている。この車速センサ３００は、車両の左右の駆動輪の回転速度を検出してその平均速度に応じた車速パルス信号を生成する機能を具備したセンサである。生成された車速パルス信号は制御部１０に出力される。
【００４８】
Ｓ２の処理において制御部１０は走行検出センサ２００の検出結果を取得して、車両が走行中か否かを判定する（Ｓ３）。走行検出センサ２００の出力信号がオン信号であるとき、制御部１０は車両が停止中であると判定して（Ｓ３：ＮＯ）、Ｓ４の処理に進む。
【００４９】
Ｓ４の処理において制御部１０は、映像と音声の同期を実現するための機能（所謂リップシンク）をオンする。制御部１０はリップシンクのオンに伴って、映像切替スイッチ１５及び音声切替スイッチ２３をスイッチング制御する。具体的には、映像切替スイッチ１５がＭＰＥＧデコーダ１４からの入力信号を受け取って出力するようスイッチング制御する。また音声切替スイッチ２３が音声Ｄ／Ａコンバータ２１からの入力信号を受け取って出力するようスイッチング制御する。
【００５０】
制御部１０はＳ４の処理に次いで、デジタル受信信号に対する処理を実行する（Ｓ５）。具体的には、制御部１０は、デジタルＴＶ用チューナ１２、ＯＦＤＭ復調部１３、ＭＰＥＧデコーダ１４等を制御して上述した一連の信号処理を実行する。次いで、一連の信号処理された映像信号が映像切替スイッチ１５を介してディスプレイ５０に入力する。これにより、地上波デジタルＴＶ放送の番組の映像（つまり動的な画像）がディスプレイ５０で再生される。また一連の信号処理された音声信号が音声Ｄ／Ａコンバータ２１でＤ／Ａ変換された後、音声切替スイッチ２３を介してオーディオアンプ２４に入力する。次いで、オーディオアンプ２４における増幅処理を経て、地上波デジタルＴＶ放送の番組の音声がスピーカ６０Ｒ及び６０Ｌで再生される。附言するにリップシンクにより、地上波デジタルＴＶ放送の番組の映像及び音声は同期した状態でディスプレイ５０及びスピーカ６０Ｒ、６０Ｌで再生される。Ｓ５の処理に次いで、制御部１０は所定時間待機する（Ｓ１７）。そして所定時間待機後、Ｓ１の処理に復帰する。
【００５１】
またＳ３の処理において制御部１０は、走行検出センサ２００の出力信号がオフ信号である場合には車両が走行中であると判定して（Ｓ３：ＹＥＳ）、Ｓ６の処理に進む。
【００５２】
Ｓ６の処理において制御部１０はリップシンクをオフする。制御部１０はリップシンクのオフに伴って映像切替スイッチ１５及び音声切替スイッチ２３をスイッチング制御する。ここでのスイッチング制御はＳ４の処理におけるものと同一である。
【００５３】
なお制御部１０は、走行検出センサ２００の検出結果を用いた判定処理の代替として、車速センサ３００が生成する車速パルス信号を監視することでＳ３の処理を実行することもできる。例えば車速パルス信号の入力がない状態が所定期間継続した場合、制御部１０は車両が停止中であるとみなしてＳ４の処理に進む。それ以外の場合（つまり車速パルス信号の入力があり、上記状態が所定期間継続しない場合）には車両が走行中であるとみなしてＳ６の処理に進む。
【００５４】
ここで、ＭＰＥＧデコーダ１４にはバッファ１４ａが内蔵されている。バッファ１４ａは例えば単一のフレーム画像を保持可能なフレームメモリである。制御部１０がＭＰＥＧデコーダ１４に対して第一のコマンドを発行することにより、当該ＭＰＥＧデコーダ１４でデコードされたフレーム画像がバッファ１４ａに保持される。つまり、ＭＰＥＧデコーダ１４内部でフレーム画像がキャプチャされる。そしてＭＰＥＧデコーダ１４はキャプチャされたフレーム画像（すなわち静止画像）を出力する。附言するに制御部１０が第一のコマンドを所定のタイミング毎に発行することにより、バッファ１４ａで保持されるフレーム画像も所定のタイミング毎に更新される。この場合、ＭＰＥＧデコーダ１４が出力する静止画像も所定のタイミング毎に変わる。
【００５５】
また制御部１０がＭＰＥＧデコーダ１４に対して第二のコマンドを発行することにより、バッファ１４ａに保持されているフレーム画像が制御部１０の内部メモリに渡される。これによりバッファ１４ａ内のフレーム画像は削除され、ＭＰＥＧデコーダ１４はＴＶ放送の番組の映像（つまり動的な画像）を出力する状態に復帰する。
【００５６】
ＭＰＥＧデコーダ１４でデコードされるフレーム画像には大別して二通りある。一つは、上述した一連の処理によりＭＰＥＧデコーダ１４でデコードされる地上波デジタルＴＶ放送のフレーム画像である。もう一つは地上波アナログＴＶ放送のフレーム画像である。この地上波アナログＴＶ放送のフレーム画像は、アナログ受信信号復調部３３及びデジタルビデオフォーマット変換部３５を経てＭＰＥＧデコーダ１４で生成される。具体的には、デジタルビデオフォーマット変換部３５が、アナログ受信信号復調部３３からアナログ形式であるコンポジット映像信号を受け取ると、それをデジタルビデオフォーマット信号に変換してＭＰＥＧデコーダ１４に出力する。ＭＰＥＧデコーダ１４がこのデジタルビデオフォーマット信号をデコードすることにより、地上波アナログＴＶ放送のフレーム画像が得られる。
【００５７】
図２のフローチャートの説明に戻る。制御部１０はリップシンクがオフであるとき、ＭＰＥＧデコーダ１４に対して第一のコマンドを所定のタイミング毎に発行する。これにより、ＭＰＥＧデコーダ１４でデコードされ生成されたフレーム画像が所定のタイミング毎にバッファ１４ａに格納されて更新・保持される。バッファ１４ａに保持されたフレーム画像は映像切替スイッチ１５を介してディスプレイ５０に入力する。これにより、地上波デジタルＴＶ放送の番組の静止画像がディスプレイ５０で再生される。附言するにバッファ１４ａにおいて保持される画像が所定のタイミング毎に更新される度に、ディスプレイ５０で表示される静止画像も所定のタイミング毎に更新される。なお音声信号に関してはＳ５と同様の処理が実行されて、地上波デジタルＴＶ放送の番組の音声がスピーカ６０Ｒ及び６０Ｌで再生される。Ｓ６の処理に次いで、制御部１０は所定時間待機する（Ｓ１７）。そして所定時間待機後、Ｓ１の処理に復帰する。
【００５８】
なお第一のコマンドは、少なくともＳ３の処理が再び実行されるまでは所定のタイミング毎に発行され続ける。Ｓ３で「ＹＥＳ」判定処理された場合には、第一のコマンドの発行は継続して行われる。これに対してＳ３で「ＮＯ」判定処理された場合には、制御部１０は第一のコマンドの発行を停止して第二のコマンドを発行する。これにより、ＭＰＥＧデコーダ１４において静止画像が出力される状態を解除する（換言すると、動的な画像が出力される状態に復帰させる）。
【００５９】
またＳ１の処理においてＢＥＲが第一の閾値よりも高いと判定されるとき（Ｓ１：ＹＥＳ）、制御部１０は、フルセグの受信状態が悪く、地上波デジタルＴＶ放送の番組をディスプレイ５０で表示できないと判断してＳ１１の処理に進む。すなわちディスプレイ５０及び各スピーカで再生する番組を地上波デジタルＴＶ放送から地上波アナログＴＶ放送に切り替えるよう動作する。
【００６０】
Ｓ１１の処理において制御部１０は、地上波アナログＴＶ放送の受信状態を検出して、その受信強度が第二の閾値より高いか否かを判定する。この判定処理は、具体的には受信強度検出部３４を用いて実行される。なお制御部１０は、前回の処理によって第一のコマンドを発行している状態にあるとき、当該第一のコマンドの発行を停止して第二のコマンドを発行する。つまり制御部１０はバッファ１４ａの更新を停止して、当該バッファ１４ａから自己の内部メモリにフレーム画像を移す。附言するにここで移されるフレーム画像はバッファ１４ａに最後に格納されたもの（すなわち最新）である。
【００６１】
受信強度検出部３４は、地上波アナログＴＶ放送の受信状態を検出するための検出回路である。受信強度検出部３４には、アナログＴＶ用チューナ３２からのＩＦ信号が定期的に入力される。受信強度検出部３４は、入力されたＩＦ信号の強度を検出してその検出結果を制御部１０に渡す。この検出結果は例えば規格化された値等で表されたものである。なお受信強度検出部３４が制御部１０に検出結果を渡すタイミングは定期的であっても良く、或いは、Ｓ１１の処理が実行される時であっても良い。
【００６２】
すなわちＳ１１の処理において制御部１０は、受信強度検出部３４から渡された検出結果の値が第二の閾値より高いか否かを判定する。この検出結果の値が第二の閾値より高いと判定されるとき（Ｓ１１：ＹＥＳ）、制御部１０は、地上波アナログＴＶ放送の受信状態が良好であると判断してＳ１２の処理に進む。
【００６３】
Ｓ１２及び１３の処理はＳ２及び３と同様の処理である。すなわちＳ１２の処理において制御部１０は走行検出センサ２００の検出結果を取得して、車両が走行中か否かを判定する（Ｓ１３）。走行検出センサ２００の出力信号がオン信号であるとき、制御部１０は車両が停止中であると判定して（Ｓ１３：ＮＯ）、Ｓ１４の処理に進む。
【００６４】
Ｓ１４の処理において制御部１０は、映像切替スイッチ１５及び音声切替スイッチ２３をスイッチング制御する。具体的には、映像切替スイッチ１５がアナログ受信信号復調部３３からの入力信号を受け取って出力するようスイッチング制御する。また音声切替スイッチ２３がアナログ受信信号復調部３３からの入力信号を受け取って出力するようスイッチング制御する。
【００６５】
制御部１０は上記スイッチング制御に次いで、アナログ受信信号に対する処理を実行する。具体的には、制御部１０は、アナログＴＶ用チューナ３２、アナログ受信信号復調部３３等を制御して上述した一連の信号処理を実行する。次いで、一連の信号処理された映像信号が映像切替スイッチ１５を介してディスプレイ５０に入力する。これにより、地上波アナログＶ放送の番組の映像（つまり動的な画像）がディスプレイ５０で再生される。また一連の信号処理された音声信号が音声切替スイッチ２３を介してオーディオアンプ２４で増幅されて、スピーカ６０Ｒ及び６０Ｌに入力する。これにより、地上波アナログＴＶ放送の番組の音声がスピーカ６０Ｒ及び６０Ｌで再生される。Ｓ１４の処理に次いで、制御部１０は所定時間待機する（Ｓ１７）。そして所定時間待機後、Ｓ１の処理に復帰する。
【００６６】
またＳ１５の処理において制御部１０は、走行検出センサ２００の出力信号がオフ信号である場合には車両が走行中であると判定して（Ｓ１３：ＹＥＳ）、Ｓ１５の処理に進む。
【００６７】
Ｓ１５の処理において制御部１０は、映像切替スイッチ１５及び音声切替スイッチ２３をスイッチング制御する。ここでのスイッチング制御はＳ１４の処理におけるものと同一である。また制御部１０は、アナログ受信信号復調部３３がコンポジット映像信号をデジタルビデオフォーマット変換部３５に出力するよう制御する。次いでデジタルビデオフォーマット変換部３５及びＭＰＥＧデコーダ１４を制御して、地上波アナログＴＶ放送のフレーム画像を所定のタイミング毎にバッファ１４ａに格納して更新・保持させる。バッファ１４ａに保持されたフレーム画像は映像切替スイッチ１５を介してディスプレイ５０に入力する。これにより、地上波アナログＴＶ放送の番組の静止画像がディスプレイ５０で再生される。バッファ１４ａにおいて保持される画像が所定のタイミング毎に更新される度に、ディスプレイ５０で表示される静止画像も所定のタイミング毎に更新される。なお音声信号に関してはＳ１４と同様の処理が実行されて、地上波デジタルＴＶ放送の番組の音声がスピーカ６０Ｒ及び６０Ｌで再生される。Ｓ１５の処理に次いで、制御部１０は所定時間待機する（Ｓ１７）。そして所定時間待機後、Ｓ１の処理に復帰する。
【００６８】
またＳ１１の処理において上記検出結果の値が第二の閾値以下と判定されるとき（Ｓ１１：ＮＯ）、制御部１０は、地上波アナログＴＶ放送の受信状態が悪いと判断してＳ１６の処理に進む。Ｓ１６の処理において制御部１０は、第二のコマンドの発行に基づいて自己の内部メモリに格納されたフレーム画像をバッファ１４ａに書き込む。これによりＭＰＥＧデコーダ１４は、当該フレーム画像を継続的に出力する。この結果、ディスプレイ５０には当該フレーム画像（すなわち地上波デジタル又は地上波アナログＴＶ放送の静止画像）が表示され続ける。Ｓ１６の処理に次いで、制御部１０は所定時間待機する（Ｓ１７）。そして所定時間待機後、Ｓ１の処理に復帰する。
【００６９】
このような処理を実行するよう映像音声出力装置１００を構成することにより、例えば車両が走行している間にＴＶ放送の受信状態が悪化した場合であってもディスプレイ５０上の当該ＴＶ放送の静止画像が消えることなく、以前取得した静止画像が表示されることになる。これにより搭乗者は、車両が走行している間にＴＶ放送の受信状態が悪化した場合であっても当該ＴＶ放送を継続して楽しむことができる。附言するにディスプレイ５０の表示画像が走行中に突然消えてしまうこともなくなるため、搭乗者が不快感や違和感を受けることもなくなる。
【００７０】
なおディスプレイ５０に表示される静止画像の更新間隔を、車両の走行速度に応じて変更させることも可能である。これは、車速センサ３００が出力する車速パルス信号を監視することで実現される。具体的には制御部１０が車速パルス信号を監視して車両の走行速度を演算する。そして得られた走行速度に基づいて、第一のコマンドを発行する時間間隔を設定する。制御部１０は例えば走行速度が速いときには該時間間隔を長く設定する。これによりバッファ１４ａでの更新頻度が低下して、ディスプレイ５０上での静止画像の更新間隔が長くなる。また例えば走行速度が遅いときには該時間間隔を短く設定する。これによりバッファ１４ａでの更新頻度が高くなり、ディスプレイ５０上での静止画像の更新間隔が短くなる。車両が高速で走行している間は当該走行の安全性を優先させるため、ディスプレイ５０上での静止画像の更新頻度を低下させて搭乗者の注視をディスプレイ５０に向け難くする。車両の速度が遅い場合には、搭乗者にＴＶ放送を楽しませることを優先させるため、ディスプレイ５０上での静止画像の更新頻度を高くする。
【００７１】
以上が本発明の実施形態である。本発明はこれらの実施形態に限定されるものではなく様々な範囲で変形が可能である。例えば地上波デジタルＴＶ放送や地上波アナログＴＶ放送を他の映像・音声媒体（例えばＤＶＤ等）に置き換えることもできる。
【００７２】
例えば地上波アナログＴＶ放送をワンセグに置き換えても良い。この場合、Ｓ１１の処理においてワンセグのＢＥＲについて判定処理を実行すれば良い。ワンセグはフルセグと比較してその受信限界が低い。このため音声・映像をフルセグで正常に出力できない場合であってもワンセグでは正常に出力できることがある。Ｓ１１で「ＹＥＳ」判定処理された場合には、制御部１０は、ワンセグについてＳ１乃至７及び１７と同様の処理を実行する。またＳ１１で「ＮＯ」判定処理された場合には、Ｓ１６と同様の処理を実行する。
【００７３】
また本実施形態のＴＶ放送受信機を具備した映像音声出力装置は車載されたものであるが、別の実施の形態では人が携帯するような機器であっても良い。
【００７４】
また本実施形態ではＢＥＲに基づいて地上波デジタルＴＶ放送の受信状態を判定しているが、別の実施の形態ではデジタル受信信号の受信強度に基づいて地上波デジタルＴＶ放送の受信状態を判定しても良い。
【図面の簡単な説明】
【００７５】
【図１】本発明の実施の形態のＴＶ放送受信機を具備した映像音声出力装置の構成を示したブロック図である。
【図２】本発明の実施の形態の映像音声出力装置におけるＴＶ放送番組再生処理を示したフローチャートである。
【符号の説明】
【００７６】
１０  制御部
１１  デジタルＴＶ用アンテナ
１２  デジタルＴＶ用チューナ
１３  ＯＦＤＭ復調部
１４  ＭＰＥＧデコーダ
１４ａ  バッファ
１５  映像切替スイッチ
２１  音声Ｄ／Ａコンバータ
２３  音声切替スイッチ
２４  オーディオアンプ
３１  アナログＴＶ用アンテナ
３２  アナログＴＶ用チューナ
３３  アナログ受信信号復調部
３４  受信強度検出部
３５  デジタルビデオフォーマット変換部
４０  メモリ
５０  ディスプレイ
６０Ｒ、６０Ｌ  スピーカ
７０  受光部
８０  リモコン
１００  映像音声出力装置
【図１】
2008042443.tif 000003
【図２】
2008042443.tif 000004